(57)【要約】【課題】測定試料に含まれる放射性核種を自動で且つ短時間で分析可能なシステムを備え、放射線の検出効率及び分析精度の両方に優れた放射能分析装置を提供する。【解決手段】測定試料１から放出された被測定放射線を検出する放射線検出器１０（６０）と、検出器２の出力を基に被測定放射線を分析する放射線分析部２０とを備えた放射能分析装置１００。分析部２０は、検出器１０の出力からパルス波高分布を抽出するパルス波高分析手段２２と、試料１に含まれる核種毎に、検出器１０の応答関数を算出する応答関数算出手段２３と、核種毎の応答関数を用いてパルス波高分布に対して逆問題演算を実施し、核種毎の放射能強度を決定する逆問題演算手段２５とを有する。応答関数算出手段２３は、検出器１０にカスケードγ線が入射する場合、エネルギー加算効果に応じた応答関数を算出する。【選択図】図３
2014066518.tif 000002
【特許請求の範囲】
【請求項１】
測定試料から放出された被測定放射線を検出する放射線検出器、及び、放射線検出器の出力を基に被測定放射線を分析する放射線分析部を備え、
放射線分析部は、
放射線検出器から出力される、被測定放射線に応じたパルス信号からパルス波高分布を抽出するパルス波高分析手段と、
測定試料に含まれる放射性核種毎に、放射線検出器の応答関数を算出する応答関数算出手段と、
算出された放射性核種毎の応答関数を用いて、抽出されたパルス波高分布に対して逆問題演算を実施し、放射性核種毎の放射能強度を決定する逆問題演算手段とを有し、
応答関数算出手段は、放射線検出器にカスケードγ線が入射する場合には、カスケードγ線によるエネルギー加算効果に応じた応答関数を算出する、ことを特徴とする放射能分析装置。
【請求項２】
応答関数算出手段は、放射性核種の励起状態の寿命が放射線検出器の応答時間よりも短い場合に、測定試料と放射線検出器との位置関係を基に、エネルギー加算効果に応じた応答関数を算出することを特徴とする、請求項１に記載の放射能分析装置。
【請求項３】
応答関数算出手段は、各放射線核種の崩壊経路及び内部遷移経路に基づいて、放射性核種毎の応答関数を算出することを特徴とする、請求項１又は２に記載の放射能分析装置。
【請求項４】
応答関数算出手段は、測定試料に含まれる放射性核種から放出された放射線の、測定試料中での減衰量及びエネルギー変化量を基に、応答関数を算出することを特徴とする、請求項１〜３のいずれか１項に記載の放射能分析装置。
【請求項５】
応答関数算出手段は、測定試料の物性及び形状に応じて決定された前記減衰量及びエネルギー変化量を基に、応答関数を算出することを特徴とする、請求項４に記載の放射能分析装置。
【請求項６】
放射線検出器は、被測定放射線が入射しエネルギーを付与することにより蛍光を発生する放射線検出部と、発生した蛍光を光電変換する光電変換部とを含み、
応答関数算出手段は、発生した蛍光のうち光電変換部にて光電変換される割合を基に、応答関数を算出することを特徴とする、請求項１〜５のいずれか１項に記載の放射能分析装置。
【請求項７】
放射線検出器は、被測定放射線が入射しエネルギーを付与することにより電荷キャリアを発生する放射線検出部と、発生した電荷キャリアを収集するキャリア収集部とを含み、
応答関数算出手段は、発生した電荷キャリアのうちキャリア収集部にて収集される割合を基に、応答関数を算出することを特徴とする、請求項１〜５のいずれか１項に記載の放射能分析装置。
【発明の詳細な説明】
【技術分野】
【０００１】
本発明は、放射能分析装置に係り、特に、放射線検出器の応答関数を算出するシステムを備えた装置に関する。
【背景技術】
【０００２】
一般に、放射能分析では、放射性核種が放出する放射線、特にγ線のエネルギーを利用して、さらに、放射性核種が複数のγ線を放出する場合には、その放出数の比率が核種に固有であることを利用して、測定試料から放出されるγ線のエネルギースペクトルが測定される。そして、各エネルギーごとに放出されるγ線の数に基づいて、試料中に含まれる放射性核種が分析される。
【０００３】
例えば、放射性核種である１３７Ｃｓを含有する測定試料を放射線検出器で測定した場合、１３７Ｃｓは崩壊の過程で６６２ｋｅＶのγ線を放出するため、測定されるエネルギースペクトルには６６２ｋｅＶのピークが現れる。図１は、１３７Ｃｓから放出されたγ線をＮａＩ（Ｔｌ）シンチレーション検出器で測定した場合に測定されるエネルギースペクトルを示す模式図である。図１に示すように、同じ６６２ｋｅＶのγ線を検出した場合でも、一部はエネルギーピークとして検出されるが（図１に符号ａで示すハッチング領域）、残りの部分は図１に符号ｂで示すように、連続スペクトルとして検出される。
【０００４】
それゆえ、エネルギースペクトルにてピーク部分として検出される確率を表すピーク検出効率を予め算出すると共に、検出されたピーク部分の計数値を、ピーク検出効率、検出器の検出効率、及び検出時間で除算することで、試料から単位時間当たりに放出される６６２ｋｅＶのエネルギーを有するγ線の本数が得られる。
【０００５】
さらに、得られたγ線の本数を放出分岐比、つまり、１３７Ｃｓが崩壊の過程で６６２ｋｅＶのγ線を放出する確率で除算することで、測定試料に含まれる１３７Ｃｓの単位時間の崩壊数、即ち放射能強度が得られる。
【０００６】
つまり、放射能強度Ｒは、Ｎを測定対象γ線のピーク計数値、Ｐをピーク検出効率、Ｓを検出器の検出効率、Ｔを検出時間、Ｂを検出対象のγ線の放出分岐比として、Ｒ＝Ｎ／ＰＳＴＢと表される。以上のようにして、放射性核種の放射能強度等を求める放射能分析が行われるところ、現在、その分析には高い精度及び安定性が要求されている。
【０００７】
しかし、分離可能なγ線の最小エネルギーは、放射線検出器のエネルギー分解能に左右される。エネルギー分解能が悪い場合、エネルギースペクトルにて現れるγ線のピーク幅が広がる。このとき、複数のγ線ピークの重なりが１つのピークとして検出され、結果として分析精度が低下するという問題が生じうる。
【０００８】
そこで、エネルギー分解能を向上させる目的で、一般に、逆問題演算の一種であるアンフォールディングが利用される。例えば、特許文献１では、予め測定対象であるγ線のエネルギー範囲内で、放射線検出器の応答関数を一定のエネルギー間隔で算出すると共に、算出した応答関数を用いたアンフォールディングを行い、検出器に入射したγ線のエネルギースペクトルを算出する方法が開示されている。
【０００９】
また、一般に放射能分析では、非特許文献１に示されているように、所謂カスケードγ線による加算効果と呼ばれる現象を考慮することが必要となる。カスケードγ線は、放射性核種が、１回の崩壊により、放射線検出器の応答時間よりも短い間隔で連続的に放出するγ線である。
【００１０】
図２は、非特許文献２から引用した、ＮａＩ（Ｔｌ）シンチレーション検出器で６０Ｃｏを測定した場合のエネルギースペクトルである。６０Ｃｏの崩壊過程では、図２に符号ａで示す１．１７ＭｅＶ、及び、符号ｂで示す１．３３ＭｅＶのエネルギーを有する２本のγ線が１ｐｓ程度の間隔で放出される。この時間間隔が放射線検出器の応答時間より短い場合、加算効果によって、２本のエネルギーの和である２．５ＭｅＶを有するピークが検出される（図２の符号ｃ）。なお、符号ｄで示す連続スペクトル部分は、入射γ線が一部のエネルギーを検出器に付与したことによって形成される連続スペクトルである。
【先行技術文献】
【特許文献】
【００１１】
【特許文献１】特表第２００８−５４５９７９号公報
【非特許文献】
【００１２】
【非特許文献１】G. F. Knoll著（木村逸郎, 阪井英次 訳）「放射線計測ハンドブック第２版  １０．３．５  加算効果」、日刊工業新聞社、p.323-325
【非特許文献２】G. F. Knoll著（木村逸郎, 阪井英次 訳）「放射線計測ハンドブック第２版  １０．４．１  応答関数」、日刊工業新聞社、p.326-331
【発明の概要】
【発明が解決しようとする課題】
【００１３】
ところで、従来の放射線分析においても、応答関数を用いたアンフォールディングにより、放射線検出器に入射したγ線のエネルギーのみを得ることができた。しかし、測定した放射線のエネルギースペクトルと、文献等に記載された放射性核種の放出エネルギーとを比較することにより放射性核種を分析していたため、分析に長時間、例えば１日程度の時間が必要であった。それゆえ、リアルタイムに放射線を分析できないという問題があった。また、文献値の読取りに放射線計測の専門知識が必要となるという問題、更には測定結果、文献値の読み違いにより、放射能強度が所定の基準値を超えているか否かについて誤判定が生じうるという問題があった。
【００１４】
また、放射線の検出効率を向上させるために、大型の検出器を用い、さらに、検出器を測定試料に近接させることがある。この場合、γ線が放射線検出器に連続して入射する確率は、放射線源たる放射性核種から見た検出器の立体角に依存するため、前述の加算効果の影響が大きくなり、放射能分析装置の分析精度が低下する可能性があった。具体的には、測定試料に含まれる放射性核種から放出されるγ線のエネルギーとは異なるエネルギーが計数される頻度が高くなり、正しいγ線の数え落とし、測定試料に含まれる放射性核種とは全く関係ないγ線の誤計数等が発生する可能性があった。
【００１５】
それゆえ、放射能分析装置の分析精度を向上させるためには、小型の放射線検出器を用いるか、検出器を測定試料から遠ざけることが好ましいが、この場合、放射線の検出効率が低下するという問題が新たに生じる。
【００１６】
本発明の目的は、測定試料に含まれる放射性核種を自動で且つ短時間で分析可能なシステムを備え、放射線の検出効率及び分析精度の両方に優れた放射能分析装置を提供することである。
【課題を解決するための手段】
【００１７】
上記目的を達成するために、本発明は、測定試料から放出された被測定放射線を検出する放射線検出器、及び、放射線検出器の出力を基に被測定放射線を分析する放射線分析部を備え、放射線分析部は、放射線検出器から出力される、被測定放射線に応じたパルス信号からパルス波高分布を抽出するパルス波高分析手段と、測定試料に含まれる放射性核種毎に、放射線検出器の応答関数を算出する応答関数算出手段と、算出された放射性核種毎の応答関数を用いて、抽出されたパルス波高分布に対して逆問題演算を実施し、放射性核種毎の放射能強度を決定する逆問題演算手段とを有し、応答関数算出手段は、放射線検出器にカスケードγ線が入射する場合には、カスケードγ線によるエネルギー加算効果に応じた応答関数を算出する、ことを特徴とする。
【発明の効果】
【００１８】
本発明によれば、放射性核種毎の応答関数を用いた逆問題演算により測定試料に含まれる放射性核種を直接知ることができるため、放射性核種の分析が自動で且つ短時間で実施される。また、カスケードγ線によるエネルギー加算効果に応じた応答関数を用いた逆問題演算が実施されることにより、放射能分析装置にて優れた検出効率及び分析精度を両立させることができる。
【図面の簡単な説明】
【００１９】
【図１】ＮａＩ（Ｔｌ）シンチレーション検出器で測定したエネルギースペクトルの例を示す模式図である。
【図２】非特許文献から引用した、エネルギースペクトルにおける加算効果の影響についての説明図である。
【図３】本発明の一実施形態による放射能分析装置を示す構成図である。
【図４】本発明の実施の形態１による放射能分析装置が備えるシンチレーション検出器を示す模式図である。
【図５ａ】パルス波高分布と放射性核種１３３Ｂａについての応答関数との比較を示す。
【図５ｂ】パルス波高分布と放射性核種１３４Ｃｓについての応答関数との比較を示す。
【図５ｃ】パルス波高分布と放射性核種６０Ｃｏについての応答関数との比較を示す。
【図６】表示手段による表示例を示す模式図である。
【図７】本発明の一実施形態による応答関数の算出方法を示すフローチャートである。
【図８】６０Ｃｏの崩壊図を示す。
【図９】６０Ｃｏについての放射線検出器の応答関数の例を示す。
【図１０】本発明の実施の形態２による放射能分析装置が備える半導体検出器を示す模式図である。
【発明を実施するための形態】
【００２０】
実施の形態１．
図３は、本発明の一実施形態による放射能分析装置を示す構成図である。
本実施形態では、放射線検出器として、放射線が入射しエネルギーを付与することにより蛍光（シンチレーション光）を発生する放射線検出部と、発生した蛍光を電気信号、例えばパルス信号に変換して出力する光電変換部等を有するシンチレーション検出器を使用する。
【００２１】
本実施形態による放射能分析装置１００は、放射性核種２が含まれる測定試料１から放出された放射線（特許請求の範囲における被測定放射線）を検出するシンチレーション検出器１０（以下、本実施形態で検出器１０）と、測定試料１を格納すると共に、自然放射線を遮蔽するための遮蔽体３と、検出器１０の出力を分析するための放射線分析部２０と、例えば液晶ディスプレイ等で構成される表示手段３０とを備える。
【００２２】
遮蔽体３は、高い放射線遮蔽能力を有する材料、例えば鉛又は鉄、好ましくは鉛で構成され、遮蔽体３の内側に、銅等で構成されるシールドを設けてもよい。
【００２３】
図４は、本発明の実施の形態１による放射能分析装置が備えるシンチレーション検出器を示す模式図である。
検出器１０は、放射線検出部としてシンチレータ１１を有する。シンチレータ１１は、放射線から付与されたエネルギーにより構成分子が励起され、基底状態に戻る際にシンチレーション光を発生するような材料を含む。かかるエネルギーは、放射線とシンチレータとの光電吸収、コンプトン効果、電子対生成等の相互作用により付与される。
【００２４】
また、検出器１０は、光電変換部として光電子増倍管１２を有する。特に、光電子増倍管１２の光電面１２ａが光電変換機能を有する。光電子増倍管１２は、シンチレーション光の光電変換後の電荷（電子）を増幅する機能を有する。
【００２５】
また、検出器１０は、シンチレータ１１で発生したシンチレーション光を光電子増倍管１２に転送する入射窓１３、入射窓１３とシンチレータ１１とを光学的に接着する光学接着剤１４等を有する。
【００２６】
さらに、検出器１０は、例えばアルミニウム等の金属で構成される封入容器（図示せず）を有し、封入容器とシンチレータ１１との間には、例えば酸化アルミニウム、酸化マグネシウム、二酸化チタン等で構成され、シンチレーション光を反射する反射材１５が設けられる。反射材１５は、例えばシンチレータ１１がＮａＩ（Ｔｌ）、ＣｓＩ（Ｔｌ）等の潮解性を有する材料で構成される無機シンチレータであれば、潮解を防ぐ機能を有する。
【００２７】
測定試料１から放出された放射線（γ線４ａ，５ａ）が検出器１０に入射すると、シンチレータ１１に固有の波長を有するシンチレーション光４ｂ，５ｂが発生する。発生したシンチレーション光４ｂ，５ｂは、入射窓１３を介して光電子増倍管１２の光電面１２ａに入射して電子４ｃ，５ｃに光電変換される。そして、放射線４ａ，５ａがシンチレータ１１に付与したエネルギーに比例したエネルギーを有するパルス信号が、出力端子から出力される（図４中のＯｕｔｐｕｔ）。
【００２８】
図３に示すように、放射線分析部２０は、計測回路２１、パルス波高分析手段２２、核種毎の応答関数算出手段２３、核種毎の応答関数データベース２４、及び核種アンフォールディング手段２５等を有する。
【００２９】
計測回路２１は、例えば前置増幅器、波形整形増幅器等で構成される。また、パルス波高分析手段２２は、例えば多重波高分析器等で構成される。また、核種毎の応答関数算出手段２３及び核種アンフォールディング手段２５は、例えば、単一の又は複数のマイクロプロセッサで構成される。さらに、核種毎の応答関数データベース２４は、例えばマイクロプロセッサに接続されたメモリで構成される。
【００３０】
次に、放射線分析部２０の動作について説明する。
まず、計測回路２１は、検出器１０が出力するパルス信号に対して、予め設定された増幅率に従った増幅、信号の整形等を行う。
【００３１】
パルス波高分析手段２２は、計測回路２１の出力を基にパルス波高分析を行い、パルス波高分布を抽出する。具体的には、計測回路２１によって増幅されたパルス信号のうち、例えばピーク値が所定値以上のパルスについてピーク値をＡＤ変換する。パルス波高分析手段２２の出力は、核種アンフォールディング手段２５（特許請求の範囲における逆問題演算手段）に入力される。
【００３２】
核種毎の応答関数算出手段２３は、検出器１０の核種毎に固有な応答関数を算出する。従来、放射能分析に用いられていた応答関数は、単一エネルギーを有する放射線のみが検出器１０に入射した際に出力されるパルス波高分布であった。一方、本発明で用いる核種毎の応答関数は、放射性核種が崩壊の過程で放出する放射線が検出器１０に入射した際に出力されるパルス波高分布である。そして、核種毎の応答関数データベース２４は、検出が想定される核種に対して準備された応答関数を予め格納している。
【００３３】
核種アンフォールディング手段２５は、核種毎の応答関数データベース２４から呼び出した核種毎の応答関数Ｋｉを用いて、抽出されたパルス波高分布Ｍに対してアンフォールディングを実施し、核種毎の放射能強度Ｒｉを算出する。対象とする放射性核種２がＮ種類あった場合、抽出されるパルス波高分布Ｍは、下記の式（１）のように表すことができる。
【００３４】
【数１】
2014066518.tif 000003
【００３５】
図５ａ〜図５ｃは、それぞれパルス波高分布と各放射性核種１３３Ｂａ，１３４Ｃｓ，６０Ｃｏについての応答関数との比較を示す。なお、計数値については対数スケールで示している。
図５ａ〜図５ｃより、抽出されたパルス波高分布５１は、測定試料１に含まれる核種毎の応答関数５２〜５４を、核種毎の放射能強度で加重積算した結果に相当することがわかる。
【００３６】
なお、本発明ではアンフォールディングにより放射性核種毎の放射能強度Ｒｉを求めているが、式（１）に示す、パルス波高分布ＭからＲｉを算出するための他の逆問題演算方法であれば、例えば逆行列演算、擬似逆行列演算、デコンボリューション、逆畳み込み積分等を用いることもできる。
【００３７】
図６は、表示手段による表示例を示す模式図である。
表示手段３０は、核種アンフォールディング手段２５により出力された核種毎の放射能強度を表示する。図６の横軸は測定試料１に含まれる放射性核種を示し、縦軸は放射性核種毎の放射能強度（Ｂｑ）を示す。
【００３８】
図７は、本発明の一実施形態による応答関数の算出方法を示すフローチャートである。
以下、６０Ｃｏのβ崩壊について、本図に示す算出方法を説明する。
【００３９】
応答関数の算出は、例えばＥＧＳ５(Electron Gamma Shower ver.5)による、擬似乱数を用いたモンテカルロシミュレーションにより実施する。そして、ヒストグラムを核種毎の応答関数データベース２４に準備し、フローチャート中の特定のステップにて、出力積算値Ｉをヒストグラムに加算することで、特定の核種についての応答関数を決定する。
【００４０】
まず、ステップＳ１では、初期条件、例えば崩壊図のデータ（図８参照）、測定試料１と検出器１０との位置関係、測定試料１の物性及び形状、検出器１０の形状及び応答時間、並びに計算試行回数等を入力する。測定試料１の物性は、例えば測定試料１の密度、構成材料等である。例えば、測定試料１と検出器１０との位置関係、測定試料１の物性及び形状、計算試行回数等については、ユーザが放射能分析装置１００の使用時に入力し、その他については製造者が入力することができる。
【００４１】
ここで、カスケードγ線による検出器１０の出力における加算効果の影響は、検出器１０にカスケードγ線が同時に入射する確率に応じて大きくなる。かかる確率は、放射性核種２から見た検出器１０の立体角に依存し、大型の検出器１０を用いた場合、検出器１０を測定試料１に近接させた場合等に大きくなる。
【００４２】
例えば、測定試料１を実際より小さい寸法で入力した場合、実際に出力されるべき計数値とは異なる計数値が検出器１０から出力される。ステップＳ１で初期条件を正しく入力することで、放射性核種２から放出されるγ線のエネルギーを正確に測定することができる。
【００４３】
図８は、６０Ｃｏの崩壊図を示す。崩壊図は、原子核の励起エネルギー、α崩壊、β−崩壊、β＋崩壊等の崩壊モード、内部遷移（γ崩壊）によって放出されるγ線の強度比等を示す図である。図８の縦軸はエネルギーを表す。また、図８にて、水平方向の実線はエネルギー準位、矢印は崩壊経路を示す。
【００４４】
６０Ｃｏはβ崩壊を起こして６０Ｎｉとなる。また、娘核である６０Ｎｉは、エネルギー準位が基底状態になるまでγ線を放出しながら内部遷移（以下、遷移）を繰り返す。下記の表１に、各崩壊・遷移経路及びその発生確率を示す。なお、崩壊・遷移経路の括弧内は崩壊の種類を、「符号」は図８中の符号を表す。また、図８には示していないが、ステップＳ１で入力される崩壊図のデータには、各励起状態（高エネルギー状態）の寿命が含まれる。
【００４５】
【表１】
2014066518.tif 000004
【００４６】
このように、６０Ｃｏの崩壊では、２本のβ線及び２本のγ線を放出して、６０Ｎｉの基底状態に移行する。放出パターンには、崩壊経路により以下の２通りのパターンが存在する。
（パターン１）第２励起状態へβ崩壊し、第１γ線を放出して第１励起状態へ遷移し、第２γ線を放出して基底状態へ遷移する。
（パターン２）第１励起状態へβ崩壊し、第２γ線を放出して基底状態へ遷移する。
【００４７】
そこで、ステップＳ２では、ステップＳ１で入力された崩壊図のデータにおける各崩壊経路の発生確率に基づいて、崩壊の種類及び崩壊先のエネルギー準位を決定する。つまり、６０Ｃｏの崩壊の場合、計算試行回数をＮ回として、第２励起状態へ崩壊した回数がＮ×０．９９９となるように、擬似乱数を生成するための確率分布を設定する。以下、６０Ｃｏが第２励起状態へβ崩壊（β−崩壊）した場合（パターン１）について説明する。なお、同様に、第１励起状態へ崩壊した回数がＮ×０．００１となるように、擬似乱数を生成するための確率分布を設定し、以下の各ステップを実施する（パターン２）。
【００４８】
次に、ステップＳ３では、崩壊による放出粒子の種類、エネルギー及び放出方向を決定する。親核から娘核への崩壊では、α線又はβ線が放出される。６０Ｃｏが６０Ｎｉの第２励起状態へβ崩壊した場合、放出粒子は電子である。放出電子のエネルギーは、０から最大エネルギーである約０．３２ＭｅＶまで連続的に分布する。放出電子は、等方的に、即ち全方位に等しい確率で放出される。
【００４９】
次に、ステップＳ４では、放出粒子の挙動を追跡し、検出器１０の出力を計算する。計算した検出器１０の出力を、例えばマイクロプロセッサに接続されたメモリに、ヒストグラムとは別に出力積算値Ｉとして保存する。
【００５０】
以上で説明したステップＳ２〜Ｓ４が、親核から娘核への崩壊に伴う応答関数の計算方法を表す。
【００５１】
次に、娘核の励起状態から基底状態までの遷移に伴うγ線の放出に伴う応答関数の計算について説明する。
まず、ステップＳ５で、娘核の現在のエネルギー準位が励起状態であるか否かを判定する。励起状態でない状態とは、即ち基底状態である。励起状態であると判定した場合は、次のステップＳ６で、どのエネルギー準位に遷移するか、即ち遷移経路を決定する。
【００５２】
６０Ｎｉの場合、第２励起状態から第１励起状態へ遷移する確率は１００％である。それゆえ、６０Ｃｏが６０Ｎｉの第２励起状態へβ崩壊した場合、遷移先のエネルギー準位は必ず第１励起状態となる。
【００５３】
次に、ステップＳ７では、ステップＳ６で決定した遷移に伴い放出されるγ線のエネルギー及び放出方向を決定する。γ線のエネルギーは、ステップＳ１で入力された崩壊図のデータから決定することができる。
【００５４】
また一般に、γ線は放射性核種から角運動量保存則を満たすように放出されるため、１本のγ線のみが放出される場合は等方的に放出される。一方、複数本のγ線が短い時間間隔で連続して放出される場合には、１本目の放出方向に対する２本目以降の放出方向に、僅かながら依存性があることが知られている。放出方向については、この依存性を基に決定することができる。
【００５５】
ここで、娘核の励起状態から基底状態までの遷移に伴ってγ線が放出されるところ、励起エネルギーが原子核周辺の電子に付与されて、運動エネルギーを得たその電子が放出される、内部転換と呼ばれる現象が競合過程として存在する。それゆえ、遷移により放出されるγ線のエネルギーを一意に定めるためには、かかるγ線のエネルギーの値を、内部転換過程を考慮した値とする必要がある。それゆえ、ステップＳ７では、放出されるγ線のエネルギー及び放出方向に加えて、内部転換の発生の有無を決定する。
【００５６】
内部転換が発生する確率は、励起状態の性質によって決まる既知の値である。それゆえ、擬似乱数を生成するための確率分布を算出すると共に、かかる確率分布に従って内部転換の有無を決定することができる。
【００５７】
また、放出される内部転換電子のエネルギーは、遷移が起こるエネルギー準位間のエネルギー差から電子の束縛エネルギーを差し引いた値であり、既知の値である。それゆえ、フローチャートには示していないが、ステップＳ７で内部転換有りと決定した場合、かかる既知のエネルギーを基に、放出される電子のエネルギーを一意に定めることができる。
【００５８】
６０Ｎｉの第２励起状態から第１励起状態への遷移では、内部転換電子は放出されない。それゆえ、ステップＳ７では、エネルギー１．１７ＭｅＶのγ線が等方的に放出される、そして、内部転換無し、と決定する。
【００５９】
次に、ステップＳ８では、励起状態の寿命と検出器１０の応答時間ＴＣとの比較を行う。励起状態の寿命及び応答時間ＴＣは、ステップＳ１で入力済みである。応答時間ＴＣが励起状態の寿命よりも短い場合、カスケードγ線が連続的に放出される。このとき、測定試料１と検出器１０との位置関係に応じて所定量のカスケードγ線が検出器１０に入射することになるため、応答関数の算出に際して加算効果を考慮する必要がある。６０Ｎｉの場合、第２励起状態の寿命は０．１ｐｓ程度であり、一般に、放射線検出器の応答時間よりも充分に短いため、加算効果を考慮した計算を行う必要がある。
【００６０】
ここで、放射線検出器が出力するパルス信号は、例えば、（１）放射性核種によるγ線の放出後、検出器の放射線検出部たるシンチレータへエネルギーを付与するまでの過程、（２）発生したシンチレーション光がシンチレータを伝播し、光電変換されるまでの過程、（３）光電変換後、電荷が増幅されて出力されるまでの過程、のように数段階の過程を経て出力されるところ、従来、応答関数の算出に際しては、上記（１）の過程のみが考慮されていた。それゆえ、検出器が出力するエネルギースペクトルのゆがみを再現できず、カスケードγ線による加算効果を考慮した応答関数を算出することが難しかった。
【００６１】
そこで、ステップＳ８で、励起状態の寿命が応答時間Ｔｃより短いと判定した場合、加算効果を考慮した応答関数を算出するために、ステップＳ９で検出器１０の出力解析を以下のように実施する。つまり、検出器１０でのエネルギー変換過程の解析を、上記（１）の過程を解析する放射線挙動解析、（２）の過程を解析する光伝達解析、（３）の過程を解析する電子増幅解析に分けて行う。
【００６２】
まず、放射線挙動解析では、第１に、ステップＳ１で入力した測定試料１の物性及び形状を基に、放射線核種２により放出されたγ線のうち、測定試料１内での減衰量及びエネルギーの変化量等を計算する。放出されたγ線は、例えば測定試料１内で指数関数的に減衰する場合があり、その指数は、γ線と測定試料１を構成する材料との相互作用、例えば光電吸収、コンプトン効果及び電子対生成により決定することができる。また、エネルギーの変化量についても同様の相互作用を基に決定することができる。
【００６３】
また、測定試料１から放出された放射線は、（１）放射線検出部たるシンチレータに直接入射してエネルギーをすべて付与する場合の他、（２）遮蔽体３で散乱、反射、吸収等された後にシンチレータに入射する場合、（３）シンチレータに入射してエネルギーの一部を付与し、残りのエネルギーに相当する放射線が散乱等してシンチレータ外へ放出される場合が、それぞれ一定の確率で生じる。それゆえ放射線挙動解析では、第２に、放射線と、遮蔽体３、及び、検出器１０を構成するシンチレータ１１、入射窓１３、光学接着剤１４、反射材１５等の光学材料との相互作用を計算する。
【００６４】
次に、光伝達解析では、シンチレーション光の伝達に伴う光の損失を計算する。具体的には、まず、検出器１０を構成する光学材料の屈折率を基にした、境界面を隔てた媒質の屈折率の違いに起因するシンチレーション光の損失の計算を行う。続いて、これらの光学材料の透過率を基にしたシンチレーション光の減衰の計算を行う。続いて、反射材１５の反射率の計算等を行う。そして、これらの計算結果を基に、発生したシンチレーション光のうち、入射窓１３に到達し、光電子増倍管１２の光電面１２ａにて光電変換されるシンチレーション光の割合Ｆを正確に評価する。最後に、電子増幅解析では、光電子増倍管１２での電荷の増幅率Ｇを計算する。
【００６５】
このとき、検出器１０から出力される電荷Ｑ（Ｃ）は、放射線が検出器１０に付与したエネルギーをΔＥ、素電荷の大きさ（１．６×１０−１９Ｃ）をｅとして、Ｑ＝ΔＥ×Ｆ×Ｇ×ｅと表される。光伝達解析及び電子増幅解析については、電荷Ｑの計算を基に行うことができる。
【００６６】
そして、以上の放射線挙動解析、光伝達解析及び電子増幅解析によって計算した検出器１０の出力を、出力積算値Ｉに加算する。
【００６７】
また、検出器１０に所定量のカスケードγ線が入射する場合には、ステップＳ９で、第１γ線と同様に、第２γ線について、放射線挙動解析、光伝達解析及び電子増幅解析を行い、第１γ線のエネルギーと第２γ線のエネルギーとの和に相当する検出器１０の出力を、出力積算値Ｉに加算する。
【００６８】
一方、ステップＳ８で、励起状態の寿命が検出器１０の応答時間Ｔｃより長いと判定した場合には、ステップＳ１１を実施する。励起状態の寿命が応答時間Ｔｃより長い場合、検出器１０内でγ線のエネルギーは加算されず、それぞれのγ線のエネルギーは独立して計数される。それゆえ、ステップＳ１１では、ステップＳ４、又は、前回の遷移においてステップＳ９で計算した出力積算値Ｉを、応答関数を求めるためのヒストグラムに加算する。そして、ステップＳ１２で検出器１０の出力をリセットし、ステップＳ９以降の計算を行う。これにより、出力積算値Ｉには、第１γ線のエネルギーと第２γ線のエネルギーとの和に相当する検出器１０の出力は加算されない。
【００６９】
次に、ステップＳ１０では、ステップＳ２で決定したエネルギー準位を、下位のエネルギー準位に変更する。６０Ｃｏが６０Ｎｉの第２励起状態へβ崩壊した場合、必ず第１励起状態へ遷移するため、下位のエネルギー準位は第１励起状態である。
【００７０】
そして、ステップＳ５に戻って、現在のエネルギー準位が励起状態かどうかを再度判定する。未だ励起状態であると判定した場合は、ステップＳ６〜Ｓ１１を再度実施する。
【００７１】
６０Ｎｉの現在のエネルギー準位は第１励起状態であるため、次に発生するのは、基底状態への遷移である。第１励起状態から基底状態への遷移では、１．３３ＭｅＶのγ線が放出される。前述の通り、第１励起状態の寿命は０．１ｐｓ程度であり、一般に、放射線検出器の応答時間ＴＣより充分に短いため、この遷移でも、エネルギー加算効果を考慮した計算を行う必要がある。
【００７２】
そして、第１励起状態から基底状態への遷移の際にステップＳ９で計算した検出器１０の出力を、出力積算値Ｉに加算する。現在、出力積算値Ｉには、ステップＳ４で計算した出力と、１回目のステップＳ９で計算した出力と、今回のステップＳ９で計算した出力との和が保存されている。
【００７３】
そして、再度ステップＳ５へ戻り、エネルギー準位が励起状態か否かを判定する。現在のエネルギー準位は基底状態であるため、これ以上の遷移は発生せず、ステップＳ５で、娘核のエネルギー準位が励起状態でない、即ち基底状態であると判定し、ステップＳ１３へ進む。
【００７４】
ステップＳ１３では、ステップＳ１〜Ｓ１３で計算した出力積算値Ｉを、応答関数を求めるためのヒストグラムに加算する。次に、ステップＳ１４では、計算試行回数が、ステップＳ１で入力した所定の計算回数Ｎ未満か否かを判定する。計算試行回数が所定の計算回数未満でないと判定した場合は、計算を終了し、ステップＳ１５で検出器の応答関数を決定する。一方、計算回数が所定の計算回数未満であると判定した場合は、ステップＳ２に戻り、再度ステップＳ２〜Ｓ１３を実施する。
【００７５】
核種毎の応答関数算出手段２３は、以上のようにして、測定試料１と検出器１０との位置関係に応じた、特定の核種に固有の応答関数を算出することができる。
【００７６】
図９は、図７のフローチャートに示す方法を基に算出した、６０Ｃｏについての放射線検出器の応答関数の例を示す。なお、計数値については対数スケールで示している。
ピーク９１は、図８の遷移経路８３で放出される第１γ線のピーク、ピーク９２は、図８の遷移経路８４で放出される第２γ線のピーク、ピーク９３は、第１γ線のエネルギーと第２γ線のエネルギーとの和に相当するピーク、連続分布７４は、部分的にエネルギーを失った放射線の出力が加算された連続エネルギースペクトルである。
【００７７】
以上、本実施形態による放射能分析装置１００により、以下の効果が得られる。
第１に、従来は、前述の通り、カスケードγ線による加算効果を考慮した応答関数を算出することが難しかった。ここで、放射線の検出効率を向上させるために、検出器を測定試料に近接させた結果、例えばγ線が連続的に入射する確率が１／４程度となるような状況では、測定試料に実際に含まれる放射性核種の量を１／４程度少なく見積もっていた。それゆれ、放射能分析装置の分析精度を向上させるためには、小型の放射線検出器を用いる、或いは検出器を測定試料から遠ざけることが好ましく、放射能分析装置にて優れた検出効率及び分析精度を両立させることは難しかった。
【００７８】
一方、本実施形態では、測定試料１と検出器１０との位置関係、測定試料１の物性及び形状、並びに検出器１０の形状等に基づいて、ステップＳ９で説明した光伝達解析を実施して検出器１０の出力するエネルギースペクトルを正確に計算している。それゆえ、本実施形態により、カスケードγ線による加算効果を考慮した応答関数を算出することが可能となる。そして、かかる応答関数を用いてパルス波高分布をアンフォールディングすることによって、核種毎の放射能強度を正確に決定することができる。
【００７９】
特に、光伝達解析では、発生したシンチレーション光のうち、入射窓１３に到達し、光電子増倍管１２の光電面１２ａにて光電変換されるシンチレーション光の割合を基に応答関数を算出するため、分析精度が低下する影響が大きくなる大型の検出器１０においても、核種毎の放射能強度を正確に決定することができる。
【００８０】
つまり、大型の検出器１０を用いた場合、検出器１０を測定試料１に近接させた場合でも高い分析精度を得ることができ、したがって、放射能分析装置１００にて優れた検出効率及び分析精度を両立させることができる。
【００８１】
第２に、従来は、入射したγ線のエネルギーのみを知ることができ、測定試料に含まれる放射性核種を直接知ることができなかった。それゆえ、測定した放射線のエネルギースペクトルと、文献等に記載された放射性核種の放出エネルギーとを比較することにより、測定試料に含まれる放射性核種を分析していた。したがって、分析に長時間を要し、文献値の読取りに際して専門的知識も必要とされていた。
【００８２】
一方、本実施形態では、例えばマイクロコンピュータで構成される核種アンフォールディング手段２５により、核種毎の応答関数を用いたアンフォールディングが実施され、試料測定後、例えば数秒から数１０秒程度で核種毎の放射能強度が決定される。それゆえ、測定試料１に含まれる放射性核種２を直接知ることができ、分析を短時間で実施することができる。
【００８３】
また、放射性核種２の分析を自動で実施するため、専門的知識が必要とされることがなく、更には測定結果、文献値の読み違い等による、放射能強度が所定の基準値を超えているか否かについての誤判定が生じにくい。
【００８４】
第３に、従来、放射性核種の崩壊・遷移経路とは関係なく、一定のエネルギー間隔で、単一エネルギーを有するγ線１本ずつに対して検出器の出力が解析されていた。それゆえ、核種毎の応答関数を算出することが難しかった。
【００８５】
一方、本実施形態では、核種毎の応答関数算出手段２３が、放射性核種２の崩壊・遷移経路を決定した上で放射線放出パターンのシミュレーションを実施するため、容易に核種毎の応答関数を算出でき、したがって放射能分析装置１００の分析精度を向上させることができる。
【００８６】
第４に、本実施形態では、ステップＳ９で説明した放射線挙動解析を実施して、測定試料１中での放射線の減衰・エネルギー変化量を計算することにより、測定試料１の密度が大きいとき等、試料中での放射線減衰・エネルギー変化の影響が大きい場合でも、放射能分析装置１００の分析精度を向上させることができる。
【００８７】
実施の形態２．
図１０は、本発明の実施の形態２による放射能分析装置が備える半導体検出器を示す模式図である。図１０は、半導体検出器に逆バイアス電圧を印加した状態を示している。
本実施形態では、放射線検出器として、放射線が入射しエネルギーを付与することにより電荷キャリアを発生する放射線検出部と、発生した電荷キャリアを収集するキャリア収集部を含むものを使用する。かかる検出器として、例えば、電離箱、比例計数管、ＧＭ計数管、半導体検出器等を使用することができる。以下、放射線検出器として半導体検出器を使用する場合の例について説明する。その他の構成は、実施形態１と同様である。
【００８８】
図１０に示すように、半導体検出器６０（以下、本実施形態で検出器６０）は、キャリア収集部として、接合された陽極６１と陰極６２とを有する。陽極６１、陰極６２は、それぞれｎ型半導体、ｐ型半導体で構成される。陽極６１及び陰極６２を構成する半導体として、例えばＧｅ、Ｓｉ又はＣｄＺｎＴｅを用いることができる。また、陽極６１と陰極６２との間に逆バイアス電圧を印加すると、陽極６１と陰極６２との間に、キャリア発生部となる空乏層６３が生じる。
【００８９】
測定試料１から放出された放射線（γ線４ａ，５ａ）が検出器６０の空乏層６３に入射すると、γ線４ａ（５ａ）の電離作用により電子４ｅ（５ｅ）と正孔４ｄ（５ｄ）とのペアが生じる。発生した電子及び正孔は、逆バイアス電圧によって、それぞれ陽極６１、陰極６２に移動して収集される。そして、γ線４ａ，５ａが空乏層６３に付与したエネルギーに比例したエネルギーを有するパルス信号が、出力端子から出力される（図１０中のＯｕｔｐｕｔ）。
【００９０】
本実施形態においても、実施形態１と同様に、図７で説明したフローチャートと同様の方法で、応答関数が算出される。但し、本実施形態では、フローチャートのステップＳ９にて、検出器６０でのエネルギー変換過程を、（１）放射性核種２によるγ線の放出後、検出器６０の空乏層６３へエネルギーを付与するまでの過程を解析する放射線挙動解析、（２）発生した電子及び正孔が空乏層を移動し、陽極、陰極にて収集されるまでの過程を解析する電荷移動解析に分けて解析する。まず、放射線挙動解析では、実施形態１と同様の解析を実施する。
【００９１】
次に、電荷移動解析では、電子及び正孔の移動において、再結合により失われることなく陽極６１、陰極６２にて収集される割合Ｈを計算する。このとき、検出器６０から出力される電荷Ｑ（Ｃ）は、放射線が検出器６０に付与したエネルギーをΔＥ、素電荷の大きさ（１．６×１０−１９Ｃ）をｅとして、Ｑ＝ΔＥ×Ｈ×ｅと表される。電荷移動解析については、電荷Ｑの計算を基に行うことができる。
【００９２】
また、検出器６０に所定量のカスケードγ線が入射する場合には、図７のフローチャートのステップＳ９で、第１γ線と同様に、第２γ線について、放射線挙動解析及び電荷移動解析を行い、第１γ線のエネルギーと第２γ線のエネルギーとの和に相当する検出器６０の出力を、出力積算値Ｉに加算する。
【００９３】
以上、本実施形態では、実施形態１と同様の効果が得られる。このとき、上記の電荷移動解析を行う際には、発生した電子及び正孔のうち、空乏層６３を伝播し、陽極６１、陰極６２にて収集される割合を基に応答関数を算出するため、分析精度が低下する影響が大きくなる大型の検出器、或いはキャリア移動度が小さくキャリア損失の影響が大きくなるような半導体検出器等を用いた場合でも、核種毎の放射能強度を正確に決定することができる。
【００９４】
また、放射線検出器として、一般にエネルギー分解能に優れた半導体検出器を使用することによって、放射能分析装置にて放射線の分析精度をさらに向上させることができる。
【符号の説明】
【００９５】
１  測定試料、  ２  放射性核種、  ３  遮蔽体、
１０  シンチレーション検出器、  １１  シンチレータ、  １２  光電子増倍管、
２０  放射線分析部、  ２１  計測回路、  ２２  パルス波高分析手段、
２３  核種毎の応答関数データベース、  ２４  核種毎の応答関数算出手段、
２５  核種アンフォールディング手段（逆問題演算手段）、  ３０  表示手段、
６０  半導体検出器、  ６１  陽極、  ６２  陰極、  ６３  空乏層、
１００  放射能分析装置。
【図１】
2014066518.tif 000005
【図２】
2014066518.tif 000006
【図３】
2014066518.tif 000007
【図４】
2014066518.tif 000008
【図５ａ】
2014066518.tif 000009
【図５ｂ】
2014066518.tif 000010
【図５ｃ】
2014066518.tif 000011
【図６】
2014066518.tif 000012
【図７】
2014066518.tif 000013
【図８】
2014066518.tif 000014
【図９】
2014066518.tif 000015
【図１０】
2014066518.tif 000016